(57)【特許請求の範囲】
【請求項１】
所定間隔を存して離間対設した一対の支持バー間に複数のルーバー羽根を揺動自在に軸支し、該ルーバー羽根と一体揺動可能なアームを上記支持バーと上下方向平行に設けた作動バーに長孔を介して連動連結して作動アームの進退に伴うルーバー羽根の揺動で開閉するようルーバーを構成すると共に、上記作動バーと支持バーとをトップライトを形成する枠材間対向面に摺動自在に設けたことを特徴とするルーバー付トップライト。
【発明の詳細な説明】
【０００１】
【発明の属する技術分野】
本発明は、特に太陽照射熱の影響を受けることなくルーバーの開閉機能を確保でき、しかもコスト低減が図れるルーバー付トップライトに関するものである。
【０００２】
【従来の技術および発明が解決しようとする課題】
近年、建物内部の快適な居住空間を確保するために、建物屋根部に離間配設した縦部材間に透明あるいは半透明の採光板をはめ込んで外光を積極的に採り入れるようにしたトップライトを備えた建造物が種々出現している。
このような建造物は、トップライト部の採光板を通して太陽光を取り入れるようしてあるため、冬季においては建物内部空間の暖房効率を向上させる利点がある反面、夏季においては冷房効率を低下させることとなったり、採光量を必要に応じて調節出来ないという問題がある。
そこで、従来、トップライトの下面側に開閉可能なルーバーを取り付けて上記課題に対処している。
【０００３】
ところが、トップライトの枠部材は通常アルミニウム製押し出し型材で形成されているので外気の温度差や太陽の照射熱を受けることによって枠部材全長が伸縮するため、枠部材を複数本の短尺材に分割してその接合間に設けた間隙で各短尺材の伸縮分を吸収することによって枠部材全長に変化が生じないような構造となつており、ルーバーを上記枠部材全長に亘って固定した場合にはルーバーを構成するフレームも枠部材の熱伸縮の影響を受けることとなり開閉に支障をきたすこととなるため、ルーバーの取り付けにあたっては、図７に示すように上記複数本に分割した各短尺材毎にそれぞれ複数枚のルーバーを取り付けたり天井面の構造体に別途設けた取り付け部２４に吊持していた。
【０００４】
また、トツプライトに取り付けられるルーバーは、その性質上高所に設けられることから開閉操作は、下方から操作可能な電動式のパワーシリンダーを備えた可動式ルーバーであることが多く、このようなルーバーを多数取り付けなければならなく結果的に、その取り付け手間やルーバーの取り付け数の増加によるコストのアップとなっていた。
【０００５】
【課題を解決するための手段】
本発明は、上記課題を解決するためになされたものであって、トップライトを構成する枠部材が太陽熱等によって伸縮してもそれに取り付けたルーバーは、その影響を受けることなく軽快に開閉操作が出来るようにしたものであって、所定間隔を存して離間対設した一対の支持バー間に複数のルーバー羽根を揺動自在に軸支し、該ルーバー羽根と一体揺動可能なアームを上記支持バーと上下方向平行に設けた作動バーに長孔を介して連動連結して作動アームの進退に伴うルーバー羽根の揺動で開閉するようルーバーを構成すると共に、上記作動バーと支持バーとをトップライトを形成する枠材間対向面に摺動自在に設けたことを特徴とするものである。
【０００６】
【発明の実施の形態】
本発明の実施の一形態を図面に基づいて説明する。
図１において、１はトップライトであり、該トップライト１は建物屋根部に配設した各パイプ２，２間を球状のグローブ３を介して連結組み付けしたトラス構造体の上面にファスナー２０で支持固定されるものであり、屋根部の縦方向に位置するパイプに固定した縦枠材４，４と該縦枠材４，４と直交して配設した横部材５，５により区画形成される空間部にガラス等の採光板６，６を組み込んで外気を遮断した状態で建物内部に太陽光を採り入れるようになっている。
【０００７】
縦枠材４は、アルミ製の押し出し型材により形成した長尺材で構成されており、外気の温度差や直射日光を受けることによってその長手方向に伸縮が生じる不都合を避けるため、図２に示すように複数の短尺材４´，４´に分割したものを一直線状に配列しその連結部間にシール材等の伸縮材を嵌挿した間隙７を設けて、該間隙７で各短尺材４´、４´の伸縮を吸収することにより縦枠材４の全長に伸びが生じないようにしてある。
なお、各短尺材４´，４´の端部同士は、図２に示すように取り付け金具８を介して一端側が固定され他端側は移動可能となるよう長孔８ｂによりビス８ａでそれぞれ連結されている。
【０００８】
縦枠材４を構成する短尺材４´は、図３、４、５に示す如くグローブ３に取り付けられた構造体１１上に所定ピッチで固定した高さ調整可能なファスナー２０を介して固定され、基部材９と該基部材９上に載置固定される方立材１０とで構成されている。
【０００９】
基部材９は、上面９ａと該上面９ａの両端からそれぞれ垂設されその外面側には側方に向けてリブ９ｃとその下方に位置して互いに先端部が外方に向くようにＬ状片９ｄ、９ｄをそれぞれ対設した垂下片９ｂとで形成されると共に、リブ９ｃとＬ状片９ｄ間には凹溝９ｅが形成されている。
【００１０】
一方、方立材１０は、方形中空部１０ａの下方に、上記基部材９の上面９ａに載置固定されボルトで連結される下面１０ｂと上方に設けた目板１０ｄの固定部１０ｃとその両側に採光板６を支承する支持面１０ｅをそれぞれ形成すると共に、上記下面１０ｂの両端から上方に立ち上がる起立片１０ｆと方形中空部１０ａ外面から側方に向けて突設した突設片１０ｇとで摺動溝１０ｈが形成されている。５は、横枠材であり、方形部５ａの上部に縦枠材４と同一面となる採光板６の支持面５ｂが形成されており、横枠材５の下端面を縦枠材４の突設片１０ｇ上に支持固定されている。
これにより、縦枠材４と横枠材５との接続部において、縦枠材４を構成する方立材１０に形成した摺動溝１０ｈおよび基部材９に形成したＬ状片９ｄは横部材５により分断されることなく、縦部材４の長手方向全長に亘って連続した状態になっている。
【００１１】
この様に、構成した縦枠材４を左右方向に所定間隔を有して複数本配設すると共に、各縦枠材４，４間には縦枠材４に直交して横枠材５が固定され、方立材１０上方の支持面１０ｅには、採光板６の端部を載置した後、上方から目板１０ｄを取り付け採光板６との間隙をシール材６ａで封止して雨水の浸入を防止するようになっている。
なお、短尺材４´は二部材ではなく基部材９の上面９ａと方立材１０の下面１０ｂとを一体化してアルミ材で押し出し成形して一部材としてもよい。
【００１２】
１３は、縦枠材４，４の基部材９の対向面に設けたＬ字状片９ｄ，９ｄにそれぞれ摺動自在に外嵌した支持バーであり、縦枠材４の全長より多少短く設定されている。縦枠材４，４間に対設された支持バー１３，１３間には、ルーバー１４を構成する複数枚の羽根１５が支軸１６により回転自在に軸支されており、隣接する羽根１５同士が回転してその先端が互いに重なり合う閉鎖姿勢と、該閉鎖姿勢から９０度回転して互いに起立する開放姿勢となるようにその支軸間ピッチが設定してある。
また、支持バー１３の一端側は構造体１１に固定したＬ型の固定金具１２にビス１２ａにより固定されている。
【００１３】
１７は、支持バー１３と上記支持バー１３と略同一鉛直面上に平行して設けた作動バーであり、該作動バー１７は、平面部１７ａとその両端にそれぞれ形成した折り曲げ片１７ｂとそれよりも僅かに長い折り曲げ片１７ｃとで断面略コ字状に形成され、平面部１７ａには支持バー１３に設けた羽根１５の支軸ピッチと同ピッチで長孔１８が穿設されている。また、作動バー１７の裏面側長手方向には、耐摩耗性を有し滑り抵抗の少ない樹脂等で成形されたスライダー１９が適数個取り付けられている。
【００１４】
隣接する縦枠材４，４に形成した摺動溝１０ｈにスライダー１９を嵌入して縦部材４の長手方向に摺動自在に作動バー１７、１７がそれぞれ対向して設けられている。また、折り曲げ片１７ｃは、基部材１９の凹溝９ｅに遊嵌されている。
作動バー１７の一端側は、構造体１１にブラケットを介して固定した電動シリンダー２１のシリンダ２１ａの先端に連結され、手元スイッチの通電操作に基づくシリンダ２１ａの出没によるストロークを受けて作動バーを摺動するよう構成されている。ここで、図５に示すようにシリンダー２１ａがパワーシリンダー２１に収納された非作動時ではルーバー１４は、各羽根１５が起立した解放姿勢となり、シリンダー２１ａが伸び切った作動時においては、各羽根１５の先端部が相互に重なり合った閉鎖姿勢となるようにしてある。
【００１５】
ルーバー１４の各羽根１５に設けた支軸１６には、アーム２２が支軸１６と一体回動するようそれぞれ固定され、該アーム２２の先端側に設けたピン２２ａを作動バー１７の長孔１８内を上下移動可能に連結されている
【００１６】
次に、叙述の如く構成したルーバーの開閉作動を図５に基づいて説明する。
ルーバー１４の各羽根１５が起立状態である解放姿勢において、手元スイッチの開動作で屋根部の構造体１１に設けたパワーシリンダー２１のシリンダー２１ａが伸長を開始すると同時にその先端に固定した作動バー１７を矢印Ａ方向に摺動する。それに伴って、作動バー１７に穿設した長孔１８に連結されたアーム２２先端のピン２２ａを上方に移動させアーム２２が支軸１６を中心に時計廻りに回動すると、アーム２２の基端と支軸１６が固定されているので支軸１６が回動し結果的に各羽根１５を時計廻りに回動して最終的に各羽根１５が水平状態となった閉鎖姿勢となり閉動作を完了することとなる。ここで、作動バー１７と支持バー１３は、アーム２２で連結されているが、支持バー１３はその一端が構造体１１に固定したＬ型の固定金具１２に固定されて移動が規制されている。
【００１７】
上述の構成において、ルーバー１４は、作動バー１７と支持バー１３により縦枠材４に取り付けられており、しかも作動バー１７はスライダー１９を介して短尺材４´の長手方向に形成した摺動溝１０ｈに嵌挿されており、また支持バー１３も短尺材４´のＬ状片９ｄ、９ｄに摺動自在に嵌合されているため縦枠材４を形成する各短尺材４´が太陽熱等の影響でその長手方向に伸縮しても各短尺材４´は支持バー１３と作動バー１７と無関係に伸縮できる。
【００１８】
作動バー１７の一端はシリンダ２１ａに、また支持バー１３の一端はＬ型固定金具によって固定されているため、作動バー１７と支持バー１３の熱変化による伸縮は他端側に向かう同方向に生じることとなりルーバーの開閉に支障をきたすことがない。
【００１９】
また、作動バー１７と支持バー１３は略同一鉛直面上に配したので、どちらか一方のバーのみが陰になったりして作動バーと支持バーとで伸縮差が生じることが回避され、ルーバーは円滑な作動をする。
【００２０】
なお、本実施の態様においては、アーム２２の先端側に設けたピン２２ａを作動バー１７に穿設した長孔１８内を上下移動可能に連結した場合を示したが、アーム２２に長孔を穿設し、作動バー１７側にピンを設けて連結しても上記と同様のルーバー開閉機能を得ることができる。
また、縦枠材４は、複数本の短尺材４´を連結して構成することなく一本の長尺材としても勿論良い。
【００２１】
さらに本実施の態様においては、トップライトを構成する縦枠材４にルーバー１４を設ける場合について示したが、これに限らずトップライトを形成する枠材であって対向面部を有するものであれば良く、例えば図６に示すようにトップライトを山形状としたものについてはその天井部に設けた枠材２３，２３間にも適用できるものである。
【００２２】
【発明の効果】
本発明は、叙述の如くトップライト下面に設けられるルーバーを上下に平行に配した作動バーと支持バーとで羽根の開閉を可能に構成し、該作動バーと支持バーとをトップライトの枠部材対向面間に摺動自在に設けたので、枠部材太陽照射熱等の影響でその長手方向に伸縮しても作動バーと支持バーは影響を受けることなく自由に伸縮できるのでルーバーは円滑に開閉動作を行うことができ、しかもトップライトを構成する枠部材が長尺のものであっても多数枚のルーバーを取り付けたり、専用の取り付け部材を別途設ける必要もないので、製品コスト低減とルーバーの取り付け作業が大幅に軽減されるものである。
【００２３】
【図面の簡単な説明】
【図１】トップライトの部分斜視図
【図２】（ａ）  短尺材の連結部を示す側面図
（ｂ）  同上の断面図
【図３】図１のＡーＡ断面図
【図４】縦枠材の拡大断面図
【図５】図１のＢーＢ断面図
【図６】他の実施の態様を示す断面図
【図７】従来のルーバーの取り付け配置状態を示す概要図
【符号の説明】
１    トップライト
４    縦枠材
４´  短尺材
５    横枠材
６    採光板
９    基部材
１０    方立材
１３    支持バー
１４    ルーバー
１５    羽根
１７    作動バー
１８    長孔
２０    ファスナー
２２    アーム
２３    水平枠材
【図１】
0003562332.tif 000002
【図２】
0003562332.tif 000003
【図３】
0003562332.tif 000004
【図４】
0003562332.tif 000005
【図５】
0003562332.tif 000006
【図６】
0003562332.tif 000007
【図７】
0003562332.tif 000008